(57)【要約】      （修正有）【課題】電子的なアンケートや直接的な質問などの社員に負担がかかるアンケートを行わずに、ユーザの健康状態を把握する判定装置、判定方法及び判定プログラムを提供する。【解決手段】判定装置は、所定の行動に対応し、かつ複数の感情にそれぞれ対応する複数のボタンのうち、ユーザにより選択されたボタンを示す選択情報を取得する取得部と、前記取得部によって取得された選択情報に基づいて、前記ユーザの健康状態を判定する判定部とを備える。【選択図】図２
2019164737.tif 000002
【特許請求の範囲】
【請求項１】
所定の行動に対応し、かつ複数の感情にそれぞれ対応する複数のボタンのうち、ユーザにより選択されたボタンを示す選択情報を取得する取得部と、
前記取得部によって取得された選択情報に基づいて、前記ユーザの健康状態を判定する判定部と、
を備えることを特徴とする判定装置。
【請求項２】
前記取得部は、
勤怠情報を記録することを含む前記所定の行動に対応する前記複数のボタンのうち、前記ユーザにより選択されたボタンを示す前記選択情報を取得する
ことを特徴とする請求項１に記載の判定装置。
【請求項３】
前記取得部は、
所定の期間において前記ユーザにより選択された前記ボタンを示す選択情報を取得し、
前記判定部は、
前記取得部によって取得された選択情報に基づいて、前記所定の期間における前記ユーザの感情の変化を判定する
ことを特徴とする請求項１又は２に記載の判定装置。
【請求項４】
前記取得部は、
前記ユーザに関連する人事施策に関する施策情報を取得し、
前記判定部は、
前記取得部によって取得された選択情報及び施策情報に基づいて、前記人事施策と前記ユーザの感情との関連性を判定する
ことを特徴とする請求項１〜３のいずれか一つに記載の判定装置。
【請求項５】
前記取得部は、
前記ユーザの移動速度に関する移動情報を取得し、
前記判定部は、
前記取得部によって取得された選択情報及び移動情報に基づいて、前記ユーザの健康状態を判定する
ことを特徴とする請求項１〜４のいずれか一つに記載の判定装置。
【請求項６】
所定の行動に対応し、かつ複数の感情にそれぞれ対応する複数のボタンのうち、ユーザにより選択されたボタンを示す選択情報を取得する取得工程と、
前記取得工程によって取得された選択情報に基づいて、前記ユーザの健康状態を判定する判定工程と、
を含むことを特徴とする判定方法。
【請求項７】
所定の行動に対応し、かつ複数の感情にそれぞれ対応する複数のボタンのうち、ユーザにより選択されたボタンを示す選択情報を取得する取得手順と、
前記取得手順によって取得された選択情報に基づいて、前記ユーザの健康状態を判定する判定手順と、
をコンピュータに実行させることを特徴とする判定プログラム。
【発明の詳細な説明】
【技術分野】
【０００１】
本発明は、判定装置、判定方法及び判定プログラムに関する。
【背景技術】
【０００２】
従来、社員の健康を管理する技術が提案されている。例えば、社員の健康診断の結果と、社員の勤怠状況との関連性を評価するシステムが提案されている（特許文献１）。このシステムでは、健康診断の結果と、勤怠情報との間の相関関係が分析され、勤怠状況（例えば、残業時間）と、健康診断の結果（例えば、血圧）との関係を示す分析結果が提供される。
【先行技術文献】
【特許文献】
【０００３】
【特許文献１】特開２０１７−１０７５６０号公報
【発明の概要】
【発明が解決しようとする課題】
【０００４】
しかしながら、上記の従来技術では、ユーザに負担をかけることなくユーザの健康状態を把握することができるとは限らない。例えば、上記の従来技術では、社員が定期健診を受けることを義務付けることなく社員の健康状態を把握できるとは限らない。
【０００５】
本願は、上記に鑑みてなされたものであって、ユーザに負担をかけることなくユーザの健康状態を把握することができる判定装置、判定方法及び判定プログラムを提供することを目的とする。
【０００６】
本願に係る判定装置は、所定の行動に対応し、かつ複数の感情にそれぞれ対応する複数のボタンのうち、ユーザにより選択されたボタンを示す選択情報を取得する取得部と、前記取得部によって取得された選択情報に基づいて、前記ユーザの健康状態を判定する判定部とを備えることを特徴とする。
【発明の効果】
【０００７】
実施形態の一態様によれば、ユーザに負担をかけることなくユーザの健康状態を把握することができるという効果を奏する。
【図面の簡単な説明】
【０００８】
【図１】図１は、実施形態に係る判定処理の一例を示す図である。
【図２】図２は、実施形態に係る判定装置の構成例を示す図である。
【図３】図３は、実施形態に係る選択情報記憶部の一例を示す図である。
【図４】図４は、実施形態に係る判定装置による判定処理手順を示すフローチャートである。
【図５】図５は、ハードウェア構成の一例を示す図である。
【発明を実施するための形態】
【０００９】
以下に、本願に係る判定装置、判定方法及び判定プログラムを実施するための形態（以下、「実施形態」と呼ぶ）について図面を参照しつつ詳細に説明する。なお、この実施形態により本願に係る判定装置、判定方法及び判定プログラムが限定されるものではない。また、各実施形態は、処理内容を矛盾させない範囲で適宜組み合わせることが可能である。また、以下の各実施形態において同一の部位には同一の符号を付し、重複する説明は省略する。
【００１０】
〔１．判定処理〕
まず、図１を参照して、判定システム１内の構成について説明する。図１は、実施形態に係る判定処理の一例を示す図である。図１の例では、判定システム１によって判定処理が行われる。図１に示すように、実施形態に係る判定システム１には、端末装置１０と、判定装置１００とが含まれる。図１中では図示していないが、判定システム１は、複数台の端末装置１０や、複数台の判定装置１００を含んでもよい。
【００１１】
端末装置１０は、ユーザによって利用される情報処理装置である。図１の例では、端末装置１０は、ユーザＵ１によって利用される情報処理装置である。図１の例において、端末装置１０は、ノート型ＰＣとして示されている。ただし、端末装置１０は、デスクトップ型ＰＣ（Personal  Computer）、ノート型ＰＣ、タブレット型ＰＣ、スマートフォン、ＰＤＡ（Personal  Digital  Assistant）を含む、任意のタイプの情報処理装置であってもよい。
【００１２】
判定装置１００は、各種情報を端末装置１０に提供するサーバ装置である。図１中では図示していないが、判定装置１００は、ネットワーク網（例えば、インターネット網）を介して、有線又は無線により提供装置１０および端末装置１０と通信を行う。
【００１３】
判定装置１００は、端末装置１０に対してウェブサイトを提供することが可能である。ウェブサイトは、例えば、社内ポータル（社内ポータルサイトとも呼ばれる）またはグループウェアサイトである。ただし、「ウェブサイト」という用語は、「アプリケーション」を含むように広義に解釈し得る。例えば、「ポータルサイト」という用語は、スマートフォン上で実行するアプリケーションのポータルサイトを意味するものと解釈し得る。
【００１４】
次に、図１を参照して、実施形態に係る判定処理の一例について説明する。はじめに、選択装置１００は、端末装置１０に対して社内ポータルを提供する（ステップＳ１１）。図１の例では、選択装置１００は、ユーザＵ１によって利用される端末装置１０に対して、社内ポータルＥＰ１を提供する。
【００１５】
社内ポータルは、複数の社員が所属する組織（例えば、企業）における業務を支援する。例えば、社内ポータルは、ユーザ（例えば、社員）から勤怠情報の入力を受け付けるユーザインタフェースとして機能する。一例では、社内ポータルは、勤怠情報を入力するための勤怠ボタンを含む。この例では、ユーザ端末１０は、社内ポータルに含まれる勤怠ボタンが選択されたことに応じて、選択された勤怠ボタンを示す選択情報を、選択装置１００に送信する。ユーザ端末１０は、ユーザ端末１０のブラウザ上に社内ポータルを表示し、そして選択された勤怠ボタンを示すＨＴＴＰ（Hypertext  Transfer  Protocol）リクエストを選択装置１００に送信する。例えば、ユーザが勤怠ボタンを選択した場合、選択された勤怠ボタンを示すＨＴＴＰリクエストが、ユーザ端末１０のブラウザから選択装置１００に送信される。
【００１６】
図１の例では、社内ポータルＥＰ１は、「勤怠ボタンＡＢ１」から「勤怠ボタンＡＢ３」までの３つの勤怠ボタンを含む。この例では、「勤怠ボタンＡＢ１」〜「勤怠ボタンＡＢ３」は、退勤情報を記録するための退勤ボタンである。それに加えて、「勤怠ボタンＡＢ１」〜「勤怠ボタンＡＢ３」は、複数の感情にそれぞれ対応する。より具体的には、「勤怠ボタンＡＢ１」は、「喜び」に対応する。「勤怠ボタンＡＢ２」は、「心配」に対応する。「勤怠ボタンＡＢ３」は、「怒り」に対応する。したがって、ユーザＵ１が、例えば、「勤怠ボタンＡＢ１」を選択した場合には、「勤怠ボタンＡＢ１」が選択されたことを示す選択情報は、ユーザＵ１の感情が「喜び」であることを示す。
【００１７】
次いで、判定装置１００は、所定の行動に対応し、かつ複数の感情にそれぞれ対応する複数のボタンのうち、ユーザにより選択されたボタンを示す選択情報を取得する（ステップＳ１２）。例えば、判定装置１００は、勤怠情報を記録することを含む所定の行動に対応する複数のボタンのうち、ユーザにより選択されたボタンを示す選択情報を取得する。
【００１８】
図１の例では、判定装置１００は、「退勤情報を記録すること」に対応し、かつ「喜び」、「心配」および「怒り」の感情にそれぞれ対応する「勤怠ボタンＡＢ１」、「勤怠ボタンＡＢ２」および「勤怠ボタンＡＢ３」の３つのボタンうち、ユーザにより選択された勤怠ボタンを示す選択情報ＳＩ１を、端末装置１０から取得する。例示の「勤怠ボタンＡＢ１」〜「勤怠ボタンＡＢ３」は、図１において「退勤」という名前で示されている。それに加えて、例示の「勤怠ボタンＡＢ１」は、「喜びの顔」のアイコンボタンとして示されている。例示の「勤怠ボタンＡＢ２」は、「心配の顔」のアイコンボタンとして示されている。例示の「勤怠ボタンＡＢ３」は、「怒りの顔」のアイコンボタンとして示されている。
【００１９】
次いで、判定装置１００は、取得された選択情報に基づいて、ユーザの健康状態を判定する（ステップＳ１３）。例えば、判定装置１００は、取得された選択情報に基づいて、ユーザの精神的な健康状態を判定する。図１の例では、判定装置１００は、取得された選択情報ＳＩに基づいて、ユーザＵ１の精神的な健康状態を判定する。
【００２０】
図１の例では、取得された選択情報ＳＩ１は、「勤怠ボタンＡＢ３」が選択されたことを示す。この例では、判定装置１００は、「怒り」の感情に対応する「勤怠ボタンＡＢ３」を選択したユーザＵ１は仕事によるストレスを感じている、と判定する。
【００２１】
上記のように、実施形態に係る判定装置１００は、所定の行動に対応し、かつ複数の感情にそれぞれ対応する複数のボタンのうち、ユーザにより選択されたボタンを示す選択情報を取得する。そして、判定装置１００は、取得された選択情報に基づいて、ユーザの健康状態を判定する。このため、実施形態に係る判定装置１００は、電子的なアンケートや直接的な質問などの社員に負担がかかるアンケートを行わずに、ユーザの健康状態を判定することができる。例えば、判定装置１００は、ユーザの精神的不調を判定することができる。この結果、判定装置１００は、社員に負担をかけずに、社員の健康チェックを行うことができる。以下、このような予測処理を実現する判定装置１００について詳細に説明する。
【００２２】
〔２．判定装置の構成〕
次に、図２を参照して、実施形態に係る判定装置１００の構成例について説明する。図２は、実施形態に係る判定装置１００の構成例を示す図である。図３に示すように、判定装置１００は、通信部１１０と、記憶部１２０と、制御部１３０とを有する。なお、判定装置１００は、判定装置１００を利用する管理者等から各種操作を受け付ける入力部（例えば、キーボードやマウス等）や、各種情報を表示するための表示部（液晶ディスプレイ等）を有してもよい。
【００２３】
（通信部１１０）
通信部１１０は、例えば、ＮＩＣ（Network  Interface  Card）等によって実現される。通信部１１０は、ネットワーク網と有線又は無線により接続され、ネットワーク網を介して、端末装置１０との間で情報の送受信を行う。
【００２４】
（記憶部１２０）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図２に示すように、記憶部１２０は、選択情報記憶部１２１を有する。
【００２５】
（選択情報記憶部１２１）
図３は、実施形態に係る選択情報記憶部の一例を示す図である。選択情報記憶部１２１は、ユーザの選択情報を記憶する。例えば、選択情報記憶部１２１は、受信部１３１によって受信された選択情報を記憶する。図３の例では、選択情報記憶部１２１には、「選択情報」が「ユーザＩＤ」ごとに記憶される。例示として、「選択情報」には、項目「勤怠ボタン」および「選択時刻」が含まれる。
【００２６】
「ユーザＩＤ」は、ユーザを識別するための識別子を示す。「勤怠ボタン」は、ユーザにより選択された勤怠ボタンを示す。また、「選択時刻」は、ユーザが勤怠ボタンを選択した時刻を示す。例えば、図３は、ユーザＩＤ「Ｕ１」で識別されるユーザが、勤怠ボタン「ＡＢ３」を、「２０１８年３月２０日午後１１時５９分」に選択したことを示している。
【００２７】
（制御部１３０）
図２に戻ると、制御部１３０は、コントローラ（controller）であり、例えば、ＣＰＵ（Central  Processing  Unit）、ＭＰＵ（Micro  Processing  Unit）等のプロセッサによって、判定装置１００内部の記憶装置に記憶されている各種プログラムがＲＡＭ等を作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００２８】
制御部１３０は、図２に示すように、受信部１３１と、取得部１３２と、判定部１３３と、提供部１３４とを有し、以下に説明する情報処理の機能や作用を実現又は実行する。なお、制御部１３０の内部構成は、図２に示した構成に限られず、後述する情報処理を行う構成であれば他の構成であってもよい。
【００２９】
（受信部１３１）
受信部１３１は、所定の行動に対応し、かつ複数の感情にそれぞれ対応する複数のボタンのうち、ユーザにより選択されたボタンを示す選択情報を、端末装置１０から受信する。例えば、受信部１３１は、勤怠情報を記録することを含む所定の行動に対応する複数のボタンのうち、ユーザにより選択されたボタンを示す選択情報を、端末装置１０から受信する。受信部１３１は、受信された選択情報を、選択情報記憶部１２１に格納してもよい。
【００３０】
（取得部１３２）
取得部１３２は、所定の行動に対応し、かつ複数の感情にそれぞれ対応する複数のボタンのうち、ユーザにより選択されたボタンを示す選択情報を取得する。例えば、取得部１３２は、勤怠情報を記録することを含む所定の行動に対応する複数のボタンのうち、ユーザにより選択されたボタンを示す選択情報を取得する。一例では、取得部１３２は、「退勤情報を記録すること」に対応し、かつ「喜び」、「心配」および「怒り」の感情にそれぞれ対応する３つの退勤ボタンうち、ユーザにより選択された勤怠ボタンを示す選択情報を、端末装置１０から取得する。
【００３１】
取得部１３２は、受信部１３１によって受信された選択情報を取得する。取得部１３２は、選択情報記憶部１２１から選択情報を取得してもよい。
【００３２】
（判定部１３３）
判定部１３３は、取得部１３２によって取得された選択情報に基づいて、ユーザの健康状態を判定する。例えば、判定部１３３は、取得された選択情報に基づいて、ユーザの精神的な健康状態を判定する。
【００３３】
一例では、取得された選択情報は、「怒り」の感情に対応する勤怠ボタンが選択されたことを示す。この例では、判定部１３３は、「怒り」の感情に対応する「勤怠ボタンＡＢ３」を選択したユーザＵは仕事によるストレスを感じている、と判定する。
【００３４】
判定部１３３は、判定結果を示すデータを出力し、出力されたデータを記憶部１２０に格納してもよい。また、判定部１３３は、判定結果を示すデータを出力し、出力されたデータをユーザ（例えば、企業の人事担当者）によって利用される端末装置に提供してもよい。
【００３５】
（提供部１３４）
提供部１３４は、端末装置１０に対して社内ポータルを提供する。社内ポータルは、複数の社員が所属する組織（例えば、企業）における業務を支援する。例えば、社内ポータルは、ユーザ（例えば、社員）から勤怠情報の入力を受け付けるユーザインタフェースとして機能する。一例では、社内ポータルは、勤怠情報を入力するための勤怠ボタンを含む。この例では、ユーザ端末１０は、社内ポータルに含まれる勤怠ボタンが選択されたことに応じて、選択された勤怠ボタンを示す選択情報を、選択装置１００に送信する。
【００３６】
〔３．判定処理のフロー〕
次に、実施形態に係る判定装置１００による判定処理の手順について説明する。図４は、実施形態に係る判定装置１００による判定処理手順を示すフローチャートである。
【００３７】
図４に示すように、はじめに、判定装置１００は、端末装置１０に対して社内ポータルを提供する（ステップＳ１０１）。次いで、判定装置１００は、所定の行動に対応し、かつ複数の感情にそれぞれ対応する複数のボタンのうち、ユーザにより選択されたボタンを示す選択情報を取得する（ステップＳ１０２）。次いで、判定装置１００は、取得された選択情報に基づいて、ユーザの健康状態を判定する（ステップＳ１０３）。
【００３８】
〔４．変形例〕
上述の実施形態に係る選択装置１００は、上記の実施形態以外にも、種々の異なる形態で実施されてよい。そこで、以下では、上記の選択装置１００の他の実施形態について説明する。
【００３９】
〔４−１．日常的に選択されるボタン〕
上記実施形態では、取得部１３２は、勤怠情報を記録することを含む所定の行動に対応する複数のボタンのうち、ユーザにより選択されたボタンを示す選択情報を取得しているが、これに限定されるものではない。取得部１３２は、日常的にユーザによって選択される複数のボタンのうち、ユーザにより選択されたボタンを示す選択情報を取得してもよい。日常的にユーザによって選択される複数のボタンは、例えば、ユーザが必ず行うとされる行動に対応する。日常的にユーザによって選択される複数のボタンは、定期的（例えば、１日に１回）にユーザによって選択される複数のボタンであってもよい。複数のボタンは、アプリケーションやシステムのシャットダウンボタンであってもよい。複数のボタンは、アプリケーションやシステムのログインボタンであってもよい。
【００４０】
勤怠情報を記録することを含む所定の行動は、例えば、出勤情報を記録することである。複数の勤怠ボタンは、複数の出勤ボタンであってもよい。勤怠情報を記録することを含む所定の行動は、外出情報を記録することであってもよい。例えば、複数の勤怠ボタンは、複数の外出ボタンである。
【００４１】
〔４−２．感情の変化〕
取得部１３２は、所定の期間においてユーザにより選択されたボタンを示す選択情報を取得してもよい。また、判定部１３３は、取得部１３２によって取得された選択情報に基づいて、かかる所定の期間におけるユーザの感情の変化を判定してもよい。この場合、提供部１３４は、ユーザの感情の変化を示すデータや、ユーザの感情の変化（例えば、モチベーションの変遷や、精神的なバイオリズム）の判定結果を示すデータを、ユーザ（例えば、企業の人事担当者）によって利用される端末装置に提供してもよい。提供部１３４は、ユーザの感情の変化を示すデータや、ユーザの感情の変化の判定結果を示すデータを、記憶部１２０に格納してもよい。
【００４２】
〔４−３．人事施策の成果〕
取得部１３２は、ユーザに関連する人事施策に関する施策情報を取得してもよい。また、判定部１３３は、取得部１３２によって取得された選択情報および施策情報に基づいて、人事施策とユーザの感情との関連性を判定してもよい。ユーザに関連する人事施策は、例えば、社員が、かかる社員がいつも働いているフロアと異なるフロアで働く「シャッフルデー」や、上司と部下との１対１の定期的なミーティングである「１オン１ミーティング」や、朝ごはんが社員に提供される日である「朝ごはんデー」である。
【００４３】
提供部１３４は、人事施策とユーザの感情との関連性の判定結果を示すデータを、ユーザ（例えば、企業の人事担当者）によって利用される端末装置に提供してもよい。判定部１３３は、人事施策とユーザの感情との関連性の判定結果を示すデータを、記憶部１２０に格納してもよい。
【００４４】
〔４−４．ユーザの移動速度〕
ユーザ（例えば、企業の社員）が精神を病んでいる場合に、ユーザの移動速度が低下する場合がある。取得部１３２は、ユーザの健康状態を判定するために、ユーザの移動速度に関する移動情報を取得してもよい。この場合、判定部１３３は、取得部１３２によって取得された選択情報および移動情報に基づいて、ユーザの健康状態を判定してもよい。ユーザの移動速度に関する移動情報は、例えば、ユーザの社内における移動速度である。例えば、取得部１３２は、スマートフォンである端末装置１０が社内に設置されたアクセスポイントにＷｉＦｉ（Wireless  Fidelity）により接続している場合には、ネットワーク網を介して、アクセスポイントの位置からユーザの移動情報を取得する。
【００４５】
一例では、判定部１３３は、ユーザの移動速度が閾値よりも小さく、かつ取得された選択情報がネガティブな感情（例えば、絶望）に対応する勤怠ボタンが選択されたことを示す場合に、かかるユーザが精神を病んでいる、と判定する。
【００４６】
〔４−５．ボタンの形状〕
図１の例において、３つの勤怠ボタン「勤怠ボタンＡＢ１」〜「勤怠ボタンＡＢ３」は、３つの表情にそれぞれ対応する３つの退勤ボタンとして示されているが、これに限定されるものではない。３つの勤怠ボタンは、「晴れ」、「曇り」、「雨」にそれぞれ対応する３つの勤怠ボタンであってもよい。この場合、「晴れ」を表す画像が、「晴れ」に対応する勤怠ボタンに描画されてもよい。また、「曇り」を表す画像が、「曇り」に対応する勤怠ボタンに描画されてもよい。また、「雨」を表す画像が、「雨」に対応する勤怠ボタンに描画されてもよい。
【００４７】
取得された選択情報が「晴れ」に対応する勤怠ボタンが選択されたことを示す場合には、判定部１３３は、例えば、かかる勤怠ボタンを選択したユーザは幸せである、と判定する。取得された選択情報が「曇り」に対応する勤怠ボタンが選択されたことを示す場合には、判定部１３３は、例えば、かかる勤怠ボタンを選択したユーザは不安を感じている、と判定する。取得された選択情報が「雨」に対応する勤怠ボタンが選択されたことを示す場合には、判定部１３３は、例えば、かかる勤怠ボタンを選択したユーザは悲壮感を感じている、と判定する。
【００４８】
勤怠ボタンは、スケーラブルなボタンであってもよい。例えば、「喜び」、「心配」および「怒り」の感情にそれぞれ対応する３つの画像が、１つの勤怠ボタンに描画されていてもよい。この場合、取得部１３２は、勤怠ボタンの表示領域うち、ユーザにより選択されたボタンの選択領域を示す選択情報を取得する。取得部１３２は、例えば、受信部１３１によって端末装置１０から受信された選択情報を取得する。一例では、ユーザにより選択されたボタンの選択領域は、「喜び」、「心配」および「怒り」の感情にそれぞれ対応する３つの画像のいずれかに対応する。図１の例と同様に、１つの勤怠ボタンは、１つの所定の行動（例えば、勤怠情報を記録すること）に対応する。
【００４９】
勤怠ボタンは、グラデーションのボタンであってもよい。例えば、複数の色が、１つの勤怠ボタンの表示領域に配されていてもよい。かかる複数の色は、例えば、色彩心理に基づいて、複数の感情にそれぞれ対応し得る。例えば、「赤」は、「興奮」に対応する。
【００５０】
判定部１３３は、ユーザにより選択されたボタンの選択領域（例えば、１つの勤怠ボタンの領域内に描画された「喜び」の感情を表す顔の画像、または色等）を示す選択情報に基づいて、ユーザの健康状態を判定してもよい。例えば、取得された選択領域情報が、１つの勤怠ボタンの表示領域のうち「赤」色の表示領域がユーザによって選択されたことを示す場合には、判定部１３３は、色彩心理に基づいて、かかるユーザが「興奮」していると判定する。
【００５１】
〔４−６．感情に関連付けられた選択可能なコンテンツ〕
上記実施形態では、取得部１３２は、所定の行動に対応し、かつ複数の感情にそれぞれ対応する複数のボタンのうち、ユーザにより選択されたボタンを示す選択情報を取得しているが、これに限定されるものではない。取得部１３２は、所定の行動に対応し、かつ複数の感情にそれぞれ対応する複数のコンテンツのうち、ユーザにより選択されたコンテンツを示す選択情報を取得してもよい。また、取得部１３２は、コンテンツに含まれる複数のコンテンツの要素であって、所定の行動に対応し、かつ複数の感情にそれぞれ対応する複数のコンテンツの要素のうち、ユーザにより選択されたコンテンツの要素を示す選択情報を取得してもよい。
【００５２】
例えば、複数のコンテンツは、ボタンとして認識出来る形態で表示されなくてもよい。一例として、複数のコンテンツは、複数の選択可能な画像として表示されることがある。例えば、選択可能な３つのコンテンツが、「晴れ」、「曇り」、「雨」にそれぞれ対応する選択可能な画像であってもよい。この場合、取得された選択情報が「晴れ」に対応するコンテンツ（例えば、選択可能な「晴れ」を表す画像）が選択されたことを示す場合には、判定部１３３は、例えば、かかるコンテンツを選択したユーザは幸せである、と判定する。取得された選択情報が「曇り」に対応するコンテンツ（例えば、選択可能な「曇り」を表す画像）が選択されたことを示す場合には、判定部１３３は、例えば、かかるコンテンツを選択したユーザは不安を感じている、と判定する。取得された選択情報が「雨」に対応するコンテンツ（例えば、選択可能な「雨」を表す画像）が選択されたことを示す場合には、判定部１３３は、例えば、かかるコンテンツを選択したユーザは悲壮感を感じている、と判定する。
【００５３】
〔４−７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００５４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００５５】
例えば、図２に示した記憶部１２０の一部又は全部は、判定装置１００によって保持されるのではなく、ストレージサーバ等に保持されてもよい。この場合、判定装置１００は、ストレージサーバにアクセスすることで、選択情報等の各種情報を取得する。
【００５６】
〔４−８．ハードウェア構成〕
また、上述してきた実施形態に係る判定装置１００は、例えば図６に示すような構成のコンピュータ１０００によって実現される。図６は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００５７】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一時的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【００５８】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００５９】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００６０】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００６１】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００６２】
例えば、コンピュータ１０００が判定装置１００として機能する場合、コンピュータ１０００の演算装置１０３０は、一次記憶装置１０４０上にロードされたプログラムを実行することにより、制御部１３０の機能を実現する。
【００６３】
〔５．効果〕
上述してきたように、実施形態に係る判定装置１００は、取得部１３２と、判定部１３３とを有する。取得部１３２は、所定の行動に対応し、かつ複数の感情にそれぞれ対応する複数のボタンのうち、ユーザにより選択されたボタンを示す選択情報を取得する。判定部１３３は、取得部１３２によって取得された選択情報に基づいて、ユーザの健康状態を判定する。このため、判定装置１００は、ユーザが所定の行動を行う際に、ユーザの健康状態を同時に判定することができる。
【００６４】
また、実施形態に係る判定装置１００において、取得部１３２は、勤怠情報を記録することを含む所定の行動に対応する複数のボタンのうち、ユーザにより選択されたボタンを示す選択情報を取得する。このため、判定装置１００は、ユーザに負担がかかる健康に関するアンケートを行わずに、ユーザの健康状態を判定することができる。
【００６５】
また、実施形態に係る判定装置１００において、取得部１３２は、所定の期間においてユーザにより選択されたボタンを示す選択情報を取得する。判定部１３３は、取得部１３２によって取得された選択情報に基づいて、所定の期間におけるユーザの感情の変化を判定する。このため、判定装置１００は、ユーザの健康状態の変化を追跡することができる。
【００６６】
また、実施形態に係る判定装置１００において、取得部１３２は、ユーザに関連する人事施策に関する施策情報を取得する。判定部１３３は、取得部１３２によって取得された選択情報および施策情報に基づいて、人事施策とユーザの感情との関連性を判定する。このため、判定装置１００は、企業の人事担当者が、企業の人事施策が好評だったかを把握することを可能にする。
【００６７】
また、実施形態に係る判定装置１００において、取得部１３２は、ユーザの移動速度に関する移動情報を取得する。判定部１３３は、取得部１３２によって取得された選択情報および移動情報に基づいて、ユーザの健康状態を判定する。このため、判定装置１００は、ユーザに負担をかけずに、ユーザの精神的および肉体的な健康状態を判定することができる。
【００６８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００６９】
また、上述した判定装置１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【００７０】
また、特許請求の範囲に記載した「手段」は、「部（section、module、unit）」や「回路」などに読み替えることができる。例えば、取得手段は、取得部や取得回路に読み替えることができる。
【符号の説明】
【００７１】
１  判定システム
１００  判定装置
１２０  記憶部
１２１  選択情報記憶部
１３１  受信部
１３２  取得部
１３３  判定部
１３４  提供部
【図１】
2019164737.tif 000003
【図２】
2019164737.tif 000004
【図３】
2019164737.tif 000005
【図４】
2019164737.tif 000006
【図５】
2019164737.tif 000007